(57)【要約】【課題】　蓄積文書に対する認証機能を共有することができ、ネットワークおよび融合機のリソースを浪費することなく蓄積文書の供給が可能な画像形成装置，蓄積文書処理方法および蓄積文書処理システムを提供することを目的とする。【解決手段】　画像形成装置１であって、ネットワーク機器との間で確立された第２のセッションの情報と画像形成装置１の内部で確立された第１のセッションの情報とを対応付けて第２のセッションの情報をネットワーク機器に送信する一方、第２のセッションの情報を利用した蓄積文書処理要求を受信すると、第２のセッションの情報に対応する第１のセッションの情報を特定して蓄積文書処理要求に応じた蓄積文書を取得してネットワーク機器に送信するネットワークサービス１４２と、第１のセッションの情報を生成してネットワークサービス１４２に送信する文書管理サービス１４３とを有することにより上記課題を解決する。【選択図】　図３
2004135291.tif 000002
【特許請求の範囲】
【請求項１】
　画像形成処理で使用されるハードウェア資源と、画像形成に係る処理を行うプログラムと、蓄積文書を蓄積する文書蓄積手段とを有する画像形成装置であって、
　外部のネットワーク機器から前記文書蓄積手段に蓄積された蓄積文書に対する認証要求を受信すると、その認証要求に応じて文書管理サービスとの間で確立された第１のセッションの第１セッション情報を取得し、前記ネットワーク機器との間で確立された第２のセッションの第２セッション情報と第１セッション情報とを対応付けて第２セッション情報を前記ネットワーク機器に送信する一方、前記ネットワーク機器から第２セッション情報を利用した所定の処理要求を受信すると、第２セッション情報に対応する第１セッション情報を特定し、第１セッション情報を用いて前記文書蓄積手段に蓄積された蓄積文書に対する所定の処理要求を実行するネットワークサービスと、
　前記認証要求に応じて前記ネットワークサービスとの間で確立された第１のセッションの第１セッション情報を生成して前記ネットワークサービスに送信する文書管理サービスと
を有することを特徴とする画像形成装置。
【請求項２】
　前記ネットワークサービスは、前記ネットワーク機器から第２セッション情報を利用した蓄積文書取得要求を受信すると、第２セッション情報に対応する第１セッション情報を特定し、第１セッション情報を用いて蓄積文書取得要求に応じた蓄積文書を前記文書蓄積手段から取得して前記ネットワーク機器に送信することを特徴とする請求項１記載の画像形成装置。
【請求項３】
　前記ネットワークサービスは、前記ネットワーク機器から第２セッション情報を利用した蓄積文書取得要求を受信すると、第２セッション情報に対応する第１セッション情報を特定し、第１セッション情報を用いて蓄積文書取得要求に応じた蓄積文書を前記文書管理サービスから取得して前記ネットワーク機器に送信することを特徴とする請求項１記載の画像形成装置。
【請求項４】
　前記ネットワークサービスは、前記ネットワーク機器から第２セッション情報を利用した蓄積文書取得要求を受信すると、第２セッション情報に対応する第１セッション情報を特定し、第１セッション情報を用いて蓄積文書取得要求に応じた蓄積文書を前記文書管理サービスに取得させ、その蓄積文書を前記ネットワーク機器に送信させることを特徴とする請求項１記載の画像形成装置。
【請求項５】
　前記ネットワークサービスは、第１のセッションの第１セッション情報を画像形成装置の外に送信しないことを特徴とする請求項１乃至４何れか一項記載の画像形成装置。
【請求項６】
　前記画像形成処理で使用されるハードウェア資源は、画像から画像データを生成するスキャナ手段および画像データから画像を形成するプロッタ手段を少なくとも有することを特徴とする請求項１乃至４何れか一項記載の画像形成装置。
【請求項７】
　前記ネットワークサービスは、前記ネットワーク機器に蓄積文書処理用画面を作成させるための画面用データに第２のセッションの第２セッション情報を包含させ、その画面用データを前記ネットワーク機器に送信することを特徴とする請求項１乃至４何れか一項記載の画像形成装置。
【請求項８】
　前記文書管理サービスは、前記ネットワークサービスから受信した前記認証要求に応じて認証処理を行い、その認証処理の結果に応じた第１セッション情報を生成して前記ネットワークサービスに送信することを特徴とする請求項１乃至４何れか一項記載の画像形成装置。
【請求項９】
　前記文書管理サービスは、前記ネットワークサービスから第１セッション情報を受信すると、その第１セッション情報の有効性を判定することを特徴とする請求項１乃至４何れか一項記載の画像形成装置。
【請求項１０】
　前記ネットワークサービスは、前記文書管理サービスで第１セッション情報の有効性を判定した結果に応じて前記文書蓄積手段に蓄積された蓄積文書に対する所定の処理要求を実行することを特徴とする請求項９記載の画像形成装置。
【請求項１１】
　前記ネットワークサービスは、前記ネットワーク機器に蓄積文書処理用のＷｅｂページを作成させるためのＷｅｂページ用データに第２のセッションの第２セッション情報を包含させ、そのＷｅｂページ用データを前記ネットワーク機器に送信することを特徴とする請求項１乃至４何れか一項記載の画像形成装置。
【請求項１２】
　前記蓄積文書処理要求は、第２セッション情報，蓄積文書識別情報、文書取得範囲情報を含むことを特徴とする請求項２乃至４何れか一項記載の画像形成装置。
【請求項１３】
　前記蓄積文書処理用画面を作成させるための画面用データは、第２セッション情報，蓄積文書識別情報，文書取得可能範囲情報を包含することを特徴とする請求項７記載の画像形成装置。
【請求項１４】
　前記文書取得範囲情報は、蓄積文書の形式および蓄積文書の頁を少なくとも含むことを特徴とする請求項１２記載の画像形成装置。
【請求項１５】
　前記文書取得可能範囲情報は、蓄積文書の形式および蓄積文書の頁を少なくとも含むことを特徴とする請求項１３記載の画像形成装置。
【請求項１６】
　第１セッション情報の代わりに前記蓄積文書の利用認証情報を利用することを特徴とする請求項１乃至１５何れか一項記載の画像形成装置。
【請求項１７】
　前記文書管理サービスは、第１のセッションの第１セッション情報を生成してから所定時間経過した後に、前記第１セッション情報を無効とすることを特徴とする請求項１乃至１５何れか一項記載の画像形成装置。
【請求項１８】
　画像形成処理で使用されるハードウェア資源と、画像形成に係る処理を行うプログラムと、蓄積文書を蓄積する文書蓄積手段とを有する画像形成装置の蓄積文書処理方法であって、
　外部のネットワーク機器から前記文書蓄積手段に蓄積された蓄積文書に対する認証要求を受信し、前記認証要求に応じて前記画像形成装置内部で確立された第１のセッションの第１セッション情報を取得する段階と、
　前記ネットワーク機器と前記画像形成装置との間で確立された第２のセッションの第２セッション情報と第１のセッションの第１セッション情報とを対応付けて第２セッション情報を前記ネットワーク機器に送信する段階と、
　前記ネットワーク機器から第２セッション情報を利用した所定の処理要求を受信して第２セッション情報に対応する第１セッション情報を特定する段階と、
　第１セッション情報を用いて前記文書蓄積手段に蓄積された蓄積文書に対する所定の処理要求を実行する段階と
を有することを特徴とする蓄積文書処理方法。
【請求項１９】
　１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムであって、
　前記画像形成装置は、外部のネットワーク機器から前記文書蓄積手段に蓄積された蓄積文書に対する認証要求を受信すると、その認証要求に応じて前記画像形成装置内部で確立された第１のセッションの第１セッション情報を取得し、前記ネットワーク機器と前記画像形成装置との間で確立された第２のセッションの第２セッション情報と第１のセッションのセッション情報とを対応付けて第２セッション情報を前記ネットワーク機器に送信する一方、前記ネットワーク機器から第２セッション情報を利用した所定の処理要求を受信すると第２セッション情報に対応する第１セッション情報を特定し、第１セッション情報を用いて前記文書蓄積手段に蓄積された蓄積文書に対する所定の処理要求を実行するネットワークサービスと、
　前記認証要求に応じて前記ネットワークサービスとの間で確立された第１のセッションの第１セッション情報を生成して前記ネットワークサービスに送信する文書管理サービスと
を有することを特徴とする蓄積文書処理システム。
【請求項２０】
　１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムの蓄積文書処理方法であって、
　前記画像形成装置が、外部のネットワーク機器から前記文書蓄積手段に蓄積された蓄積文書に対する認証要求を受信すると、その認証要求に応じて前記画像形成装置内部で確立された第１のセッションの第１セッション情報を取得する段階と、
　前記画像形成装置が、前記ネットワーク機器と前記画像形成装置との間で確立された第２のセッションの第２セッション情報と第１のセッションのセッション情報とを対応付けて第２セッション情報を前記ネットワーク機器に送信する段階と、
　前記画像形成装置が、前記ネットワーク機器から第２セッション情報を利用した所定の処理要求を受信すると第２セッション情報に対応する第１セッション情報を特定する段階と、
　前記画像形成装置が、第１セッション情報を用いて前記文書蓄積手段に蓄積された蓄積文書に対する所定の処理要求を実行する段階と、
を有することを特徴とする蓄積文書処理方法。
【発明の詳細な説明】
【技術分野】
【０００１】
　本発明は、画像形成装置、蓄積文書処理方法および蓄積文書処理システムに係り、特に蓄積文書に対して所定の処理を行う画像形成装置、蓄積文書処理方法および蓄積文書処理システムに関する。
【背景技術】
【０００２】
　近年、プリンタ，コピー，ファクシミリおよびスキャナなどの各装置の機能を１つの筐体内に収納した画像形成装置（以下、融合機という）が知られるようになった。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。
【０００３】
　このような融合機は、例えば文書管理データベース（以下、文書管理ＤＢという）に文書ファイルを蓄積文書として格納している。融合機はネットワーク機器や他の融合機などにネットワークを介して接続され、ネットワーク機器などからの指示により文書管理ＤＢに格納している蓄積文書を送信する。なお、セキュリティ上の問題に対応するため、融合機は文書管理ＤＢに格納している蓄積文書にパスワードを設定することが多い。
【０００４】
　例えば融合機の文書管理ＤＢに格納されている蓄積文書を取得する場合、ネットワーク機器は所望の蓄積文書を識別するための文書ＩＤおよびその蓄積文書の使用権限を証明するパスワードを融合機に送信する。融合機はパスワード認証が成功すれば、その文書ＩＤに対応する蓄積文書を文書管理ＤＢから読み出てネットワーク機器に送信していた。
【０００５】
　なお、ネットワーク機器はブラウザ（Browser）などを利用することで、融合機に対して蓄積文書の取得要求を行っていた。特許文献１には、上記のような融合機の一例が記載されている。
【特許文献１】特開２００２−８４３８３号公報
【発明の開示】
【発明が解決しようとする課題】
【０００６】
　しかしながら、従来の融合機は蓄積文書の出力要求，取得要求の他、蓄積文書に関する様々な処理要求をネットワーク機器や他の融合機から受信する。このため、融合機は蓄積文書に関する様々な処理要求に応じたユーザサービスのプロセスが設けられている。
【０００７】
　したがって、蓄積文書にパスワードが設定されている場合、蓄積文書に関する様々な処理要求に応じたユーザサービスのプロセスごとにパスワード認証の機能を設ける必要があり、機能が重複するという問題があった。
【０００８】
　また、融合機は文書管理ＤＢから読み出した蓄積文書を複数のユーザサービスのプロセスで取り扱う場合、読み出した蓄積文書をそのままユーザサービスのプロセス間で転送する。したがって、融合機のリソースを無駄に浪費しているという問題があった。
【０００９】
　本発明は、上記の点に鑑みなされたもので、蓄積文書に対する認証機能を共有することができ、ネットワークおよび融合機のリソースを浪費することなく蓄積文書に対して所定の処理を行うことができる画像形成装置，蓄積文書処理方法および蓄積文書処理システムを提供することを目的とする。
【課題を解決するための手段】
【００１０】
　そこで、上記課題を解決するため、本発明は、画像形成処理で使用されるハードウェア資源と、画像形成に係る処理を行うプログラムと、蓄積文書を蓄積する文書蓄積手段とを有する画像形成装置であって、外部のネットワーク機器から前記文書蓄積手段に蓄積された蓄積文書に対する認証要求を受信すると、その認証要求に応じて文書管理サービスとの間で確立された第１のセッションの第１セッション情報を取得し、前記ネットワーク機器との間で確立された第２のセッションの第２セッション情報と第１セッション情報とを対応付けて第２セッション情報を前記ネットワーク機器に送信する一方、前記ネットワーク機器から第２セッション情報を利用した所定の処理要求を受信すると、第２セッション情報に対応する第１セッション情報を特定し、第１セッション情報を用いて前記文書蓄積手段に蓄積された蓄積文書に対する所定の処理要求を実行するネットワークサービスと、前記認証要求に応じて前記ネットワークサービスとの間で確立された第１のセッションの第１セッション情報を生成して前記ネットワークサービスに送信する文書管理サービスとを有することを特徴とする。
【００１１】
　また、本発明は、画像形成処理で使用されるハードウェア資源と、画像形成に係る処理を行うプログラムと、蓄積文書を蓄積する文書蓄積手段とを有する画像形成装置の蓄積文書処理方法であって、外部のネットワーク機器から前記文書蓄積手段に蓄積された蓄積文書に対する認証要求を受信し、前記認証要求に応じて前記画像形成装置内部で確立された第１のセッションの第１セッション情報を取得する段階と、前記ネットワーク機器と前記画像形成装置との間で確立された第２のセッションの第２セッション情報と第１のセッションの第１セッション情報とを対応付けて第２セッション情報を前記ネットワーク機器に送信する段階と、前記ネットワーク機器から第２セッション情報を利用した所定の処理要求を受信して第２セッション情報に対応する第１セッション情報を特定する段階と、第１セッション情報を用いて前記文書蓄積手段に蓄積された蓄積文書に対する所定の処理要求を実行する段階とを有することを特徴とする。
【００１２】
　また、本発明は、１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムであって、前記画像形成装置は、外部のネットワーク機器から前記文書蓄積手段に蓄積された蓄積文書に対する認証要求を受信すると、その認証要求に応じて前記画像形成装置内部で確立された第１のセッションの第１セッション情報を取得し、前記ネットワーク機器と前記画像形成装置との間で確立された第２のセッションの第２セッション情報と第１のセッションのセッション情報とを対応付けて第２セッション情報を前記ネットワーク機器に送信する一方、前記ネットワーク機器から第２セッション情報を利用した所定の処理要求を受信すると第２セッション情報に対応する第１セッション情報を特定し、第１セッション情報を用いて前記文書蓄積手段に蓄積された蓄積文書に対する所定の処理要求を実行するネットワークサービスと、前記認証要求に応じて前記ネットワークサービスとの間で確立された第１のセッションの第１セッション情報を生成して前記ネットワークサービスに送信する文書管理サービスとを有することを特徴とする。
【００１３】
　また、本発明は、１つ以上の外部のネットワーク機器と、前記外部のネットワーク機器にネットワークを介して接続された画像形成装置とを用いて、前記画像形成装置の文書蓄積手段に蓄積された蓄積文書に対して所定の処理を実行する蓄積文書処理システムの蓄積文書処理方法であって、前記画像形成装置が、外部のネットワーク機器から前記文書蓄積手段に蓄積された蓄積文書に対する認証要求を受信すると、その認証要求に応じて前記画像形成装置内部で確立された第１のセッションの第１セッション情報を取得する段階と、前記画像形成装置が、前記ネットワーク機器と前記画像形成装置との間で確立された第２のセッションの第２セッション情報と第１のセッションのセッション情報とを対応付けて第２セッション情報を前記ネットワーク機器に送信する段階と、前記画像形成装置が、前記ネットワーク機器から第２セッション情報を利用した所定の処理要求を受信すると第２セッション情報に対応する第１セッション情報を特定する段階と、前記画像形成装置が、第１セッション情報を用いて前記文書蓄積手段に蓄積された蓄積文書に対する所定の処理要求を実行する段階と、を有することを特徴とする。
【００１４】
　本発明によれば、認証要求に応じた第１のセッションの第１セッション情報を利用して所定の処理要求を行うことにより、既に認証された蓄積文書を識別できるので、蓄積文書に対する認証機能を共有することが可能である。また、本発明によれば、第１のセッションの第１セッション情報を利用して蓄積文書処理要求を行うことにより、画像形成装置のユーザサービス間で無駄に蓄積文書を転送させる必要がなく、リソースの浪費を防ぐことができる。さらに、本発明によれば、第１のセッションの第１セッション情報をそのままネットワーク上に送信しないため、機密性を高めることができる。
【発明の効果】
【００１５】
　本発明によれば、蓄積文書に対する認証機能を共有することができ、リソースの浪費を防ぐことができ、機密性を高めることができる画像形成装置、蓄積文書処理方法および蓄積文書処理システムを提供することができる。
【発明を実施するための最良の形態】
【００１６】
　次に、本発明の実施の形態について図面に基づいて説明する。
【００１７】
　図１は、本発明による融合機の一実施例の構成図である。融合機１は、ソフトウェア群２と，融合機起動部３と，ハードウェア資源４とを含むように構成される。
【００１８】
　融合機起動部３は融合機１の電源投入時に最初に実行され、アプリケーション層５およびプラットフォーム６を起動する。例えば融合機起動部３は、アプリケーション層５およびプラットフォーム６のプログラムをハードディスク装置（以下、ＨＤＤという）などから読み出し、読み出した各プログラムをメモリ領域に転送して起動する。
【００１９】
　ハードウェア資源４は、プロッタ１１と，スキャナ１２と，ファクシミリなどのその他のハードウェアリソース１３とを含む。ソフトウェア群２は、ＵＮＩＸ（登録商標）などのオペレーティングシステム（以下、ＯＳという）上に起動されているアプリケーション層５とプラットフォーム６とを含む。アプリケーション層５は、プリンタ，コピー，ファックスおよびスキャナなどの画像形成にかかるユーザサービスにそれぞれ固有の処理を行うプログラムを含む。
【００２０】
　アプリケーション層５は、プリンタアプリ２１と，コピーアプリ２２と，ファックスアプリ２３と，スキャナアプリ２４と，ＷＥＢページアプリ２５と，１つ以上の共有ファンクション（以下、ＳＦという）２８と，ＷＥＢページアプリ２５とＳＦ２８との間に設けられたＷＥＢサービスファンクション（以下、ＷＳＦという）２７とを含む。
【００２１】
　ＷＳＦ２７は、予め定義されている関数によりＷＥＢページアプリ２５からの処理要求を受信するアプリケーションプログラムインターフェース（以下、ＡＰＩという）５１を有する。また、ＳＦ２８は予め定義されている関数によりＷＳＦ２７からの処理要求を受信するＡＰＩ５２を有する。ＷＳＦ２７はＡＰＩ５１を介してＷＥＢページアプリ２５からの処理要求を受信すると、その処理要求に応じてＳＦ２８を選択する。ＷＳＦ２７はＡＰＩ５１を介して受信した処理要求を、その処理要求に応じて選択したＳＦ２８にＡＰＩ５２を介して送信する。ＳＦ２８はＡＰＩ５２を介して処理要求を受信すると、その処理要求に応じた処理を行う。
【００２２】
　例えば図１の融合機１は２つのＳＦ２８を含んでいるが、一方のＳＦ２８が後述するネットワークサービス１４２の処理を行い、他方のＳＦ２８が後述する文書管理サービス１４３の処理を行う。
【００２３】
　プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するシステムリソースマネージャ（以下、ＳＲＭという）３９と、ＳＲＭ３９からの獲得要求に応じてハードウェア資源４の管理を行うハンドラ層１０とを含む。なお、プラットフォーム６は予め定義されている関数により、アプリケーション層５からの処理要求を受信するＡＰＩ５３を有するように構成されている。ＯＳは、アプリケーション層５およびプラットフォーム６の各ソフトウェアをプロセスとして並列実行する。
【００２４】
　コントロールサービス層９は、ネットワークコントロールサービス（以下、ＮＣＳという）３１，デリバリーコントロールサービス（以下、ＤＣＳという）３２，オペレーションパネルコントロールサービス（以下、ＯＣＳという）３３，ファックスコントロールサービス（以下、ＦＣＳという）３４，エンジンコントロールサービス（以下、ＥＣＳという）３５，メモリコントロールサービス（以下、ＭＣＳという）３６，ユーザインフォメーションコントロールサービス（以下、ＵＣＳという）３７，システムコントロールサービス（以下、ＳＣＳという）３８など、一つ以上のサービスモジュールを含むように構成されている。
【００２５】
　ＮＣＳ３１のプロセスは、ネットワーク側から各プロトコルによって受信したデータを各アプリケーションに振り分けたり、各アプリケーションからのデータをネットワーク側に送信する際の仲介を行う。例えばＮＣＳ３１は、ネットワークを介して接続されるネットワーク機器とのデータ通信をｈｔｔｐｄ（HyperText Transfer Protocol Daemon）により、ＨＴＴＰ（HyperText Transfer Protocol）で制御する。
【００２６】
　ＤＣＳ３２のプロセスは、蓄積文書の配送などの制御を行う。ＯＣＳ３３のプロセスは、オペレータと本体制御との間の情報伝達手段となるオペレーションパネルの制御を行う。ＦＣＳ３４のプロセスは、アプリケーション層５からＰＳＴＮまたはＩＳＤＮ網を利用したファックス送受信，バックアップ用のメモリで管理されている各種ファックスデータの登録／引用，ファックス読み取り，ファックス受信印刷などを行うためのＡＰＩを提供する。
【００２７】
　ＥＣＳ３５のプロセスは、プロッタ１１，スキャナ１２，ハードウェアリソース１３などのエンジン部の制御を行う。ＭＣＳ３６のプロセスは、メモリの取得および解放，ＨＤＤの利用，画像データの圧縮および伸張などのメモリ制御を行う。ＵＣＳ３７のプロセスは、ユーザ情報の管理を行うものである。ＳＣＳ３８のプロセスは、アプリケーション管理，操作部制御，システム画面表示，ＬＥＤ表示，ハードウェア資源管理，割り込みアプリケーション制御などの処理を行う。
【００２８】
　ＳＲＭ３９のプロセスは、ＳＣＳ３８と共にシステムの制御およびハードウェア資源４の管理を行うものである。例えばＳＲＭ３９のプロセスは、プロッタ１１やスキャナ１２などのハードウェア資源４を利用する上位層からの獲得要求に従って調停を行い、実行制御する。
【００２９】
　具体的に、ＳＲＭ３９のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、ＳＲＭ３９のプロセスは上位層からの獲得要求に対してハードウェア資源４を利用するためのスケジューリングを行い、要求内容（例えば、プリンタエンジンによる紙搬送と作像動作，メモリ確保，ファイル生成など）を直接実施している。
【００３０】
　また、ハンドラ層１０は後述するファックスコントロールユニット（以下、ＦＣＵという）の管理を行うファックスコントロールユニットハンドラ（以下、ＦＣＵＨという）４０と、プロセスに対するメモリの割り振り及びプロセスに割り振ったメモリの管理を行うイメージメモリハンドラ（以下、ＩＭＨという）４１とを含む。ＳＲＭ３９，ＦＣＵＨ４０等は、予め定義されている関数によりハードウェア資源４に対する処理要求を送信するエンジンＩ／Ｆ５４を利用して、ハードウェア資源４に対する処理要求を行う。
【００３１】
　図１の構成により、融合機１は各アプリケーションで共通的に必要な処理をプラットフォーム６で一元的に処理することができる。次に、融合機１のハードウェア構成について説明する。
【００３２】
　図２は、本発明による融合機の一実施例のハードウェア構成図である。融合機１は、コントローラ６０，オペレーションパネル８０，ＦＣＵ８１，エンジン部８２を有する。コントローラ６０は、ＣＰＵ６１，システムメモリ６２，ノースブリッジ（ＮＢ）６３，サウスブリッジ（ＳＢ）６４，ＡＳＩＣ６６，ローカルメモリ６７，ＨＤＤ６８、ネットワークインターフェースカード（ＮＩＣ）６９，ＵＳＢデバイス７０，ＩＥＥＥ１３９４デバイス７１，セントロニクス７２を有する。オペレーションパネル８０は、コントローラ６０のＡＳＩＣ６６に接続されている。また、ＦＣＵ８１およびエンジン部８２はコントローラ６０のＡＳＩＣ６６にＰＣＩバス８３で接続されている。
【００３３】
　コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。コントローラ６０は、ＮＢ６３を介してＣＰＵ６１とＡＳＩＣ６６とを接続することにより、ＣＰＵ６１のインターフェースが公開されていない場合に対応する。
【００３４】
　なお、ＡＳＩＣ６６とＮＢ６３とはＡＧＰ（Accelerated
Graphics Port ）６５を介して接続されている。このように、図１のアプリケーション５やプラットフォーム６を形成する一つ以上のプロセスを実行制御するため、ＡＳＩＣ６６とＮＢ６３とを低速のＰＣＩバスでなくＡＧＰ６５を介して接続することで、パフォーマンスの低下を防いでいる。
【００３５】
　ＣＰＵ６１は、融合機１の全体制御を行うものである。ＣＰＵ６１は、ＮＣＳ３１，ＤＣＳ３２，ＯＣＳ３３，ＦＣＳ３４，ＥＣＳ３５，ＭＣＳ３６，ＵＣＳ３７，ＳＣＳ３８をＯＳ上に起動して実行させると共に、アプリケーション５を形成するプリンタアプリ２１，コピーアプリ２２，ファックスアプリ２３，スキャナアプリ２４，ＷＥＢページアプリ２５，ＷＳＦ２７，ＳＦ２８を起動して実行させる。
【００３６】
　ＮＢ６３は、ＣＰＵ６１，システムメモリ６２，ＳＢ６４，ＡＳＩＣ６６，ＮＩＣ６９，ＵＳＢデバイス７０，ＩＥＥＥ１３９４デバイス７１およびセントロニクス７２を接続するためのブリッジである。ＳＢ６４，ＮＩＣ６９，ＵＳＢデバイス７０，ＩＥＥＥ１３９４デバイス７１１およびセントロニクス７２は、ＰＣＩバス７３を介してＮＢ６３に接続されている。なお、ＳＢ６４は、ＰＣＩバス７３とＲＯＭや周辺デバイス等とを接続するためのブリッジである。
【００３７】
　システムメモリ６２は、融合機１の描画用メモリなどとして用いるメモリである。ローカルメモリ６７はコピー用画像バッファ，符号バッファとして用いるメモリである。ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積などを行うストレージ（補助記憶装置）の一例である。
【００３８】
　ＮＩＣ６９は、融合機１をネットワークに接続するインターフェース機器である。ＵＳＢデバイス７０，ＩＥＥＥ１３９４デバイス７１およびセントロニクス７２は、夫々の規格に準じたインターフェースである。また、オペレーションパネル８０は、オペレータからの入力操作を受け付けると共に、オペレータに向けた表示を行う操作部である。
【００３９】
　なお、ＦＣＵ８１はバックアップ用のメモリを有している。ＦＣＵ８１が有するメモリは、例えば融合機１の電源がＯＦＦのときに受信したファクシミリデータを一時的に格納するために利用される。
【００４０】
　以下、融合機１により実現される蓄積文書取得方法について図面を参照しつつ説明していく。図３は、本発明による蓄積文書取得方法の第１実施例の説明図である。図４は、本発明による蓄積文書取得方法の第１実施例のシーケンス図である。なお、図３および図４では説明に必要のない構成を省略している。
【００４１】
　図３および図４の蓄積文書取得方法は融合機１にインターネットなどのネットワーク１３０を介して接続されるネットワーク機器１２０が、融合機１に蓄積されている文書ファイル（以下、蓄積文書という）を取得するものである。
【００４２】
　まず、ネットワーク機器１２０のブラウザ１２１は融合機１に蓄積されている蓄積文書のリストおよび文書ＩＤを例えばＨＴＴＰリクエストおよびＨＴＴＰレスポンスを用いて融合機１から入手しているものとする。ネットワーク機器１２０を操作するユーザはブラウザ１２１の画面上に表示されている蓄積文書のリストから取得を所望する蓄積文書を選択すると共に、蓄積文書の取得にパスワードの入力が必要であればパスワードを入力する。そして、ユーザは蓄積文書を融合機１から取得するために、例えばブラウザ１２１の画面上に設けられている所定のボタンをマウス等でクリックする。
【００４３】
　ステップＳ１では、ネットワーク機器１２０のブラウザ１２１が、ユーザにより選択された蓄積文書の文書ＩＤおよびパスワードを含むＨＴＴＰリクエストを作成し、インターネットなどのネットワーク１３０を介して文書ＩＤおよびパスワードを融合機１に送信する。ネットワーク機器１２０から送信されたＨＴＴＰリクエストは、ＮＣＳ３１のｈｔｔｐｄ１４１を介してネットワークサービス１４２に送信される。
【００４４】
　ステップＳ１に続いてステップＳ２に進み、ネットワークサービス１４２はネットワーク機器１２０から送信されたＨＴＴＰリクエストに含まれる文書ＩＤおよびパスワードを取得し、その文書ＩＤおよびパスワードを文書管理サービス１４３に送信する。ステップＳ２に続いてステップＳ３に進み、文書管理サービス１４３はネットワークサービス１４２から受信した文書ＩＤおよびパスワードをＭＣＳ３６に送信し、パスワードの認証要求を行う。ＭＣＳ３６は、文書管理サービス１４３から受信した文書ＩＤおよびパスワードを用いてパスワード認証を行う。ステップＳ３に続いてステップＳ４に進み、ＭＣＳ３６はパスワード認証の結果を文書管理サービス１４３に送信する。
【００４５】
　文書ＩＤのパスワード認証が正常に終了すると、文書管理サービス１４３はネットワークサービス１４２との間で確立したセッションのセッションＩＤと対応付けて図５に表すようなセッション情報を生成する。図５は、セッションについて説明するための説明図である。図５（Ａ）はネットワークサービス１４２と文書管理サービス１４３との間で確立したセッションを識別するためのセッションＩＤである。図５（Ｂ）は、セッションＩＤと対応付けられたセッション情報である。
【００４６】
　セッション情報は、文書管理サービス１４３により保持される。セッション情報は、セッション内容情報およびセッション管理情報を含む。セッション内容情報は、セッションＩＤ，セッションの有効期限，蓄積文書のファイル数，文書ＩＤとしてのファイルＩＤとパスワードとが組になった構造体の配列を情報として有している。また、セッション管理情報はカレントのセッション番号，発行セッション数を情報として有している。なお、ファイルＩＤとパスワードとが組になった構造体の配列は、認証済みの蓄積文書を表すものである。
【００４７】
　したがって、セッションＩＤおよびセッション情報を利用することにより、文書管理サービス１４３はネットワークサービス１４２と文書管理サービス１４３との間で確立したセッションごとに、そのセッションで認証済みの蓄積文書を管理できる。即ち、セッションＩＤは蓄積文書が認証されたことの証明情報として機能する。なお、文書管理サービス１４３はセキュリティ上の問題を考慮し、作成されてから所定時間が経過したセッション情報を無効としている。
【００４８】
　ステップＳ４に続いてステップＳ５に進み、文書管理サービス１４３はセッションＩＤおよび後述する文書取得可能範囲情報をネットワークサービス１４２に送信する。ネットワークサービス１４２は、ブラウザ１２１との間で確立したＨＴＴＰセッションごとにＨＴＴＰセッションオブジェクト１４４を有し、文書管理サービス１４３から送信されたセッションＩＤをＨＴＴＰセッションオブジェクト１４４の要素として図６のように管理する。
【００４９】
　図６は、ＨＴＴＰセッションオブジェクトと文書管理サービスから送信されたセッションＩＤとの関係を説明する一例の説明図である。図６では、ブラウザ１２１ａ〜１２１ｃとネットワークサービス１４２との間に、ＨＴＴＰセッション１５１〜１５３が確立している。
【００５０】
　ネットワークサービス１４２は、ＨＴＴＰセッション１５１〜１５３ごとにＨＴＴＰセッションオブジェクト１４４ａ〜１４４ｃを有する。例えばＨＴＴＰセッションオブジェクト１４４ａは、ブラウザ１２１ａとネットワークサービス１４２との間で確立したＨＴＴＰセッション１５１に対応する。また、ＨＴＴＰセッションオブジェクト１４４ｂ，１４４ｃは、ブラウザ１２１ｂとネットワークサービス１４２との間で確立したＨＴＴＰセッション１５２，ブラウザ１２１ｃとネットワークサービス１４２との間で確立したＨＴＴＰセッション１５３にそれぞれ対応する。
【００５１】
　例えばブラウザ１２１ａからのＨＴＴＰリクエストに応じて文書管理サービス１４３からセッションＩＤを受信すると、ネットワークサービス１４２は受信したセッションＩＤをＨＴＴＰセッションオブジェクト１４４ａの要素として管理する。
【００５２】
　このようにブラウザ１２１ａ〜１２１ｃとネットワークサービス１４２との間で確立したＨＴＴＰセッション１５１〜１５３と、ＨＴＴＰセッションオブジェクト１４４ａ〜１４４ｃとを１対１に対応させ、ＨＴＴＰセッションオブジェクト１４４ａ〜１４４ｃでセッションＩＤを管理することにより、各ブラウザ１２１ａ〜１２１ｃごとにセッションＩＤを特定できる。
【００５３】
　ステップＳ５に続いてステップＳ６に進み、ネットワークサービス１４２は蓄積文書取得用のＷｅｂページをネットワーク機器１２０に作成させるための画面用データを作成する。画面用データは、文書管理サービス１４３から受信した文書取得可能範囲情報を包含している。文書取得可能範囲情報とは、蓄積文書の文書画像形式，蓄積文書のページ番号などである。また、文書取得可能範囲情報はステップＳ１でネットワーク機器１２０から送信された文書ＩＤに応じてユーザが取得する可能性の高い蓄積文書の要素を含むようにしてもよい。
【００５４】
　ネットワークサービス１４２は、蓄積文書取得用のＷｅｂページをネットワーク機器１２０に作成させるための画面用データ（以下、単に画面用データという）をＮＣＳ３１のｈｔｔｐｄ１４１，ネットワーク１３０を介してネットワーク機器１２０のブラウザ１２１に送信する。また、ネットワークサービス１４２は画面用データをブラウザ１２０に送信するとき、ＨＴＴＰセッションＩＤをクッキー（Cookie）の利用によりブラウザ１２０に送信する。ＨＴＴＰセッションＩＤとは、ブラウザ１２１とネットワークサービス１４２との間で確立したＨＴＴＰセッションを識別するための情報である。
【００５５】
　ネットワーク機器１２０のブラウザ１２１は供給された画面用データを利用して蓄積文書取得用のＷｅｂページを画面上に表示する。ユーザがブラウザ１２１の画面上に表示されている認証済み蓄積文書のリストから一つの蓄積文書を選択すると、ブラウザ１２１は図７のような文書取得条件選択画面を画面上に表示する。
【００５６】
　図７は、文書取得条件選択画面の一例のイメージ図である。図７の文書取得条件選択画面では、文書取得条件の一例として蓄積文書の文書画像形式，蓄積文書のページ番号を選択する。例えば図７では、文書画像形式としてＰＤＦ（Portable Document Format）またはＪＰＥＧ（Joint Photographic Experts Group）を選択している。
【００５７】
　ユーザがブラウザ１２１の画面上に表示された文書取得条件選択画面から文書取得条件を選択すると、ブラウザ１２１はステップＳ７に進む。ブラウザ１２１はユーザにより選択された蓄積文書の文書ＩＤ，文書取得条件選択画面から選択された文書取得条件を含むＨＴＴＰリクエストを作成し、そのＨＴＴＰリクエストをネットワーク１３０を介して融合機１に送信する。ネットワーク機器１２０から送信されたＨＴＴＰリクエストは、ＮＣＳ３１のｈｔｔｐｄ１４１を介してネットワークサービス１４２に送信される。
【００５８】
　また、ブラウザ１２１はＨＴＴＰリクエストをネットワークサービス１４２に送信するとき、ＨＴＴＰセッションＩＤをクッキーの利用により送信する。ネットワークサービス１４２は受信したＨＴＴＰセッションＩＤに応じてＨＴＴＰセッションオブジェクト１４４が管理するセッションＩＤを特定する。例えば図６の場合、ネットワークサービス１４２はブラウザ１２１ａからＨＴＴＰセッションＩＤを受信すると、受信したＨＴＴＰセッションＩＤに対応するＨＴＴＰセッションオブジェクト１４４ａからセッションＩＤを特定できる。
【００５９】
　図３のステップＳ７では、ブラウザ１２１が、文書管理サービス１４３に直接ＨＴＴＰリクエストをせずにネットワークサービス１４２を介してＨＴＴＰリクエストを行うことで、ＨＴＴＰセッションオブジェクト１４４が管理しているセッションＩＤを特定し、そのセッションＩＤを用いた認証が可能となる。
【００６０】
　したがって、ユーザはネットワーク機器１２０のブラウザ１２１を操作することにより、融合機１に蓄積されている蓄積文書のうち文書取得条件に該当する蓄積文書の少なくとも一部を指定して取得することが可能である。また、図３の融合機１ではセッションＩＤ及びＨＴＴＰセッションＩＤを利用することで蓄積文書のデータ自体を無駄に転送することがなくなり、ハードウェア資源４の浪費を防ぐことができる。
【００６１】
　さらに、セッション情報が認証済みの蓄積文書を表す情報を有するため、本発明の蓄積文書取得方法によれば文書取得の度にパスワードの認証処理を行う必要がなく、ユーザの操作負担を軽減することができる。なお、セッション情報は作成されてから所定時間が経過すると無効とされるため、セキュリティ上も優れている。
【００６２】
　ステップＳ７の処理後、ネットワークサービス１４２は文書ＩＤ，文書取得条件情報及びセッションＩＤを利用して例えばＨＤＤ６８から蓄積文書を取得するが、文書ＩＤ，文書取得条件情報及びセッションＩＤを利用した蓄積文書取得方法は様々な形態があるため、以下の実施例で説明する。
【００６３】
　図８は、本発明による蓄積文書取得方法の第２実施例の説明図である。図９は、本発明による蓄積文書取得方法の第２実施例のシーケンス図である。なお、図８の説明図では、説明に必要のない機能構成を省略している。また、図８のステップＳ１１〜ステップＳ１７の処理は図３のステップＳ１〜ステップＳ７の処理と同様であるので説明を省略する。
【００６４】
　ステップＳ１８では、ネットワークサービス１４２が、ステップＳ１７で受信したＨＴＴＰリクエストに含まれる文書ＩＤ及びＨＴＴＰセッションＩＤに応じてＨＴＴＰセッションオブジェクト１４４から特定したセッションＩＤを文書管理サービス１４３に送信する。
【００６５】
　文書管理サービス１４３はネットワークサービス１４２から文書ＩＤ及びセッションＩＤを受信し、そのセッションＩＤの有効性を確認する。例えばセッションＩＤの有効性は、そのセッションＩＤが文書ＩＤに対して有効であるか否かで確認する。セッションＩＤが文書ＩＤに対して有効であるか否かの判断は、セッションＩＤと対応付けられたセッション情報を利用して確認できる。
【００６６】
　セッションＩＤの有効性が確認できると、文書管理サービス１４３はステップＳ１９に進み、文書ＩＤに対するセッションＩＤの有効性をネットワークサービス１４２に送信する。セッションＩＤが文書ＩＤに対して有効であれば、ネットワークサービス１４２はステップＳ２０に進み、文書ＩＤおよび文書取得条件をＭＣＳ３６に送信して蓄積文書の取得要求を行う。ＭＣＳ３６は、文書管理サービス１４３から受信した文書ＩＤおよび文書取得条件を用いて例えばＨＤＤ６８から蓄積文書を取得する。ステップＳ２０に続いてステップＳ２１に進み、ＭＣＳ３６は取得した蓄積文書をネットワークサービス１４２に送信する。
【００６７】
　そして、ステップＳ２２では、ネットワークサービス１４２が、ＭＣＳ３６から受信した蓄積文書を、ＮＣＳ３１のｈｔｔｐｄ１４１を介してネットワーク機器１２０に送信する。なお、ネットワークサービス１４２は、蓄積文書の代わりにその蓄積文書を閲覧可能なＷｅｂページの画面用データをネットワーク機器１２０に送信してもよい。
【００６８】
　Ｗｅｂページの画面用データをネットワーク機器１２０に送信するようにすれば、例えばステップＳ１７のＨＴＴＰリクエストが妥当でない場合，ステップＳ１９の応答がセッションＩＤが文書ＩＤに対して有効でない旨を表す場合，ステップＳ２１の応答がエラーである場合などに、ステップＳ２２で蓄積文書を送信できない理由を表示したＷｅｂページ用の画面用データを送信できる。なお、ネットワークサービス１４２から送信したＷｅｂページの画面用データを利用して、Ｗｅｂページがブラウザ１２１の画面上に表示される。
【００６９】
　したがって、ユーザはネットワーク機器１２０のブラウザ１２１を操作することにより、融合機１に蓄積されている蓄積文書のうち文書取得条件に該当する蓄積文書の少なくとも一部を指定して取得することが可能である。なお、図８の融合機１ではセッションＩＤ及びＨＴＴＰセッションＩＤを利用することで蓄積文書のデータ自体を無駄に転送することがなくなり、ハードウェア資源４の浪費を防ぐことができる。
【００７０】
　さらに、セッション情報が認証済みの蓄積文書を表す情報を有するため、本発明の蓄積文書取得方法によれば文書取得の度にパスワードの認証処理を行う必要がなく、ユーザの操作負担を軽減することができる。なお、セッション情報は作成されてから所定時間が経過すると無効とされるため、セキュリティ上も優れている。
【００７１】
　図１０は、本発明による蓄積文書取得方法の第３実施例の説明図である。図１１は、本発明による蓄積文書取得方法の第３実施例のシーケンス図である。なお、図１０の説明図では、説明に必要のない機能構成を省略している。また、図１０のステップＳ３１〜ステップＳ３７の処理は図３のステップＳ１〜ステップＳ７の処理と同様であるので説明を省略する。
【００７２】
　ステップＳ３８では、ネットワークサービス１４２が、ステップＳ３７で受信したＨＴＴＰリクエストに含まれる文書ＩＤ及びＨＴＴＰセッションＩＤに応じてＨＴＴＰセッションオブジェクト１４４から特定したセッションＩＤを文書管理サービス１４３に送信する。
【００７３】
　文書管理サービス１４３はネットワークサービス１４２から文書ＩＤ及びセッションＩＤを受信し、そのセッションＩＤの有効性を確認する。セッションＩＤの有効性が確認できると、文書管理サービス１４３はステップＳ３９に進み、文書ＩＤおよび文書取得条件をＭＣＳ３６に送信して蓄積文書の取得要求を行う。ＭＣＳ３６は、文書管理サービス１４３から受信した文書ＩＤおよび文書取得条件を用いて例えばＨＤＤ６８から蓄積文書を取得する。ステップＳ３９に続いてステップＳ４０に進み、ＭＣＳ３６は取得した蓄積文書を文書管理サービス１４３に送信する。
【００７４】
　ステップＳ４０に続いてステップＳ４１に進み、文書管理サービス１４３はＭＣＳ３６から受信した蓄積文書をネットワークサービス１４２に送信する。そして、ステップＳ４２では、ネットワークサービス１４２が、文書管理サービス１４３から受信した蓄積文書またはＷｅｂページを、ＮＣＳ３１のｈｔｔｐｄ１４１を介してネットワーク機器１２０に送信する。
【００７５】
　なお、ステップＳ４０に続いてステップＳ４１’に進み、文書管理サービス１４３はＭＣＳ３６から受信した蓄積文書を、ＮＣＳ３１のｈｔｔｐｄ１４１を介してネットワーク機器１２０に送信するようにしてもよい。したがって、ユーザはネットワーク機器１２０のブラウザ１２１を操作することにより、融合機１に蓄積されている蓄積文書のうち文書取得条件に該当する蓄積文書の少なくとも一部を指定して取得することが可能である。
【００７６】
　なお、図１０の融合機１ではセッションＩＤ及びＨＴＴＰセッションＩＤを利用することで蓄積文書のデータ自体を無駄に転送することがなくなり、ハードウェア資源４の浪費を防ぐことができる。さらに、セッション情報が認証済みの蓄積文書を表す情報を有するため、本発明の蓄積文書取得方法によれば文書取得の度にパスワードの認証処理を行う必要がなく、ユーザの操作負担を軽減することができる。なお、セッション情報は作成されてから所定時間が経過すると無効とされるため、セキュリティ上も優れている。
【００７７】
　なお、前述した蓄積文書取得方法の第３実施例では、認証済みの蓄積文書を表す情報として、文書管理サービス１４３とネットワークサービス１４２との間で確立したセッションのセッションＩＤ及びセッション情報を利用しているが、セッションＩＤ及びセッション情報の代わりに図１２のようなチケットを利用することもできる。
【００７８】
　図１２は、チケットについて説明するための説明図である。図１２（Ａ）は例えばネットワークサービス１４２と文書管理サービス１４３との間で転送されるチケットの構造体である。チケットは、チケットＩＤ，チケットのデータサイズが格納されている。
【００７９】
　図１２（Ｂ）は、チケットを照合するための表である。表は文書管理サービス１４３により保持される。表は、チケット内容情報およびチケット管理情報を含む。チケット内容情報は、チケットＩＤ，チケットの有効期限，ファイル数，文書ＩＤとしてのファイルＩＤとパスワードとが組になった構造体の配列を情報として有している。また、チケット管理情報はカレントのチケット番号，発行チケット数を情報として有している。なお、チケットと表とはチケットＩＤにより関連付けられている。
【００８０】
　チケットは、例えば文書ＩＤのパスワード認証が正常に終了した後に、文書管理サービス１４３により生成される。チケットは、文書ＩＤとしてのファイルＩＤとパスワードとが組になった構造体の配列を情報を有するため、認証済みの蓄積文書を表す情報として利用可能である。
【００８１】
　なお、本発明は上記の実施例に限定されるものでなく、本発明の範囲内で種々の変更が可能である。
【図面の簡単な説明】
【００８２】
【図１】本発明による融合機の一実施例の構成図である。
【図２】本発明による融合機の一実施例のハードウェア構成図である。
【図３】本発明による蓄積文書取得方法の第１実施例の説明図である。
【図４】本発明による蓄積文書取得方法の第１実施例のシーケンス図である。
【図５】セッションについて説明するための説明図である。
【図６】ＨＴＴＰセッションオブジェクトと文書管理サービスから送信されたセッションＩＤとの関係を説明する一例の説明図である。
【図７】文書取得条件選択画面の一例のイメージ図である。
【図８】本発明による蓄積文書取得方法の第２実施例の説明図である。
【図９】本発明による蓄積文書取得方法の第２実施例のシーケンス図である。
【図１０】本発明による蓄積文書取得方法の第３実施例の説明図である。
【図１１】本発明による蓄積文書取得方法の第３実施例のシーケンス図である。
【図１２】チケットについて説明するための説明図である。
【符号の説明】
【００８３】
　１　　融合機
　２　　ソフトウェア群
　３　　融合機起動部
　４　　ハードウェア資源
　５　　アプリケーション層
　６　　プラットフォーム
　９　　コントロールサービス層
　１０　　ハンドラ層
　１１　　プロッタ
　１２　　スキャナ
　１３　　その他のハードウェアリソース
　２１　　プリンタアプリ
　２２　　コピーアプリ
　２３　　ファックスアプリ
　２４　　スキャナアプリ
　２５　　ＷＥＢページアプリ
　２７　　ＷＥＢサービスファンクション（ＷＳＦ）
　２８　　共有ファンクション（ＳＦ）
　３１　　ネットワークコントロールサービス（ＮＣＳ）
　３２　　デリバリーコントロールサービス（ＤＣＳ）
　３３　　オペレーションパネルコントロールサービス（ＯＣＳ）
　３４　　ファックスコントロールサービス（ＦＣＳ）
　３５　　エンジンコントロールサービス（ＥＣＳ）
　３６　　メモリコントロールサービス（ＭＣＳ）
　３７　　ユーザインフォメーションコントロールサービス（ＵＣＳ）
　３８　　システムコントロールサービス（ＳＣＳ）
　３９　　システムリソースマネージャ（ＳＲＭ）
　４０　　ファックスコントロールユニットハンドラ（ＦＣＵＨ）
　４１　　イメージメモリハンドラ（ＩＭＨ）
　５１〜５３　　アプリケーションプログラムインターフェース（ＡＰＩ）
　５４　　エンジンＩ／Ｆ
　６０　　コントローラ
　６１　　ＣＰＵ
　６２　　システムメモリ
　６３　　ノースブリッジ（ＮＢ）
　６４　　サウスブリッジ（ＳＢ）
　６５　　ＡＧＰ（Accelerated
Graphics Port）
　６６　　ＡＳＩＣ
　６７　　ローカルメモリ
　６８　　ハードディスク装置（ＨＤＤ）
　８０　　オペレーションパネル
　８１　　ファックスコントロールユニット（ＦＣＵ）
　８２　　エンジン部
　１２０　　ネットワーク機器
　１２１　　ブラウザ
　１３０　　ネットワーク
　１４１　　ｈｔｔｐｄ（Hypertext
Transfer Protocol Daemon）
　１４２　　ネットワークサービス
　１４３　　文書管理サービス
【図１】
2004135291.tif 000003
【図２】
2004135291.tif 000004
【図３】
2004135291.tif 000005
【図４】
2004135291.tif 000006
【図５】
2004135291.tif 000007
【図６】
2004135291.tif 000008
【図７】
2004135291.tif 000009
【図８】
2004135291.tif 000010
【図９】
2004135291.tif 000011
【図１０】
2004135291.tif 000012
【図１１】
2004135291.tif 000013
【図１２】
2004135291.tif 000014